(57)【要約】      （修正有）【課題】発一性の劣るノズル列を利用しつつも、ランニングコストや記録時間を増大させることなく、高品位なカラー画像および黒文字を実現可能なカラーインクジェット記録装置を提供する。【解決手段】（ａ）に示す発一性の問題が表れやすい記録位置に対して、（ｂ）に示す凝集性の低いインクを用いてた発一性の良好なノズル列によって（ｃ）に示すように、ドットを重ねて記録する。これにより、使用するインクの長所を十分に発揮しながらも、発一性の問題を画像上目立たなくすることができる。【選択図】図６
2008149613.tif 000002
【特許請求の範囲】
【請求項１】
インクを吐出する第１ノズル列と、該第１ノズル列よりもインクの発一性が良好な第２ノズル列を少なくとも用い、画像データに基づいてインクを吐出することにより記録媒体に画像を形成するインクジェット記録方法であって、
前記第１ノズル列に含まれる個々のノズルの非吐出時間に関する情報を取得する工程と、
前記個々のノズルの前記非吐出時間に関する情報に応じて、対応する前記第２のノズル列に含まれるノズルにインクを吐出させるための吐出データを生成する工程と、
前記吐出データに基づいて前記第２ノズル列からインクを吐出する工程と
を有することを特徴とするインクジェット記録方法。
【請求項２】
前記吐出データ生成工程では、前記第１ノズル列のうち前記非吐出時間が閾値よりも大きいと判断されるノズルが吐出して前記記録媒体上に形成するドットの一部に、前記第２ノズル列が吐出して形成するドットが重複するように、前記吐出データを生成することを特徴とする請求項１に記載のインクジェット記録方法。
【請求項３】
前記第１ノズル列は前記第２ノズル列が吐出するインクよりも色材の凝集性が高いインクを吐出することを特徴とする請求項１または２に記載のインクジェット記録方法。
【請求項４】
前記第１ノズル列は顔料を含有するインクを吐出し、前記第２ノズル列は染料を含有するインクを吐出することを特徴とする請求項１乃至３のいずれかに記載のインクジェット記録方法。
【請求項５】
前記第１ノズル列および前記第２ノズル列が、同色のインクを吐出することを特徴とする請求項１乃至４のいずれかに記載のインクジェット記録方法。
【請求項６】
前記第１のズル列および前記第２ノズル列が、ブラックインクを吐出することを特徴とする請求項５に記載のインクジェット記録方法。
【請求項７】
前記第１ノズル列はブラックインクを吐出し、前記第２ノズル列はカラーインクを吐出することを特徴とする請求項１乃至４のいずれかに記載のインクジェット記録方法。
【請求項８】
ブラックインクを吐出するブラックノズル列と、該ブラックノズル列よりもインクの発一性が良好で且つ互いに異なるカラーインクを吐出する複数のカラーノズル列を少なくとも用い、画像データに基づいてインクを吐出することにより記録媒体にカラー画像を形成するインクジェット記録方法であって、
ブラックノズル列に含まれる個々のノズルの非吐出時間に関する情報を取得する工程と、
前記個々のノズルの前記非吐出時間に関する情報に応じて、対応する前記カラーノズル列に含まれるノズルにインクを吐出させるための吐出データを生成する工程と、
前記吐出データに基づいて前記カラーノズル列からインクを吐出する工程と
を有することを特徴とするインクジェット記録方法。
【請求項９】
前記カラーノズル列は、シアン、マゼンタおよびイエローの染料を含有するシアン、マゼンタおよびイエローインクをそれぞれ吐出することを特徴とする請求項８に記載のインクジェット記録方法。
【請求項１０】
インクを吐出する第１ノズル列と、該第１ノズル列よりもインクの発一性が良好な第２ノズル列を少なくとも用い、画像データに基づいてインクを吐出することにより記録媒体に画像を形成するインクジェット記録装置であって、
前記第１ノズル列に含まれる個々のノズルの非吐出時間に関する情報を取得する手段と、
前記個々のノズルの前記非吐出時間に関する情報に応じて、対応する前記第２のノズル列に含まれるノズルにインクを吐出させるための吐出データを生成する手段と、
前記吐出データに基づいて前記第２ノズル列からインクを吐出する手段と
を備えることを特徴とするインクジェット記録装置。
【発明の詳細な説明】
【技術分野】
【０００１】
本発明は、記録媒体にインクを記録することにより画像を形成するインクジェット記録方法に関する。特に、互いに特性の異なる複数種類のインクを用いて画像を記録するインクジェット記録装置の記録方法に関する。
【背景技術】
【０００２】
従来のインクジェット記録装置で用いられるインクは、水を主成分とし、これに乾燥防止や目詰まり防止等の目的でグリコール等の水溶性高沸点溶剤が含有されているのが一般であった。しかし、このようなインクを用いて記録を行った場合には、記録媒体において十分な定着性が得られなかったり、記録媒体表面の填料やサイズ剤分布の不均一性に依存してインクが偏った方向に浸透したりして、画像品位が損なわれる場合があった。更に、複数色のインクを用いてカラー画像を記録する場合には、記録媒体に吸収される前の異色インク同士が接触し互いににじみ合い、画像における異色境界部を不鮮明にするという問題も生じていた。以下、このような異色境界部のインクにじみを「ブリーディング」と称することとする。
【０００３】
このような問題を解決するために、内部に定着器を配備した記録装置も提供されている。記録直後の記録媒体に定着器を通過させることにより、記録したインクを迅速に乾燥させブリーディングを防止することが出来る。但し、定着器を搭載した記録装置は大型化され、製造コストも上昇する。更に、記録と定着の２段階の工程が要されるため、画像の出力速度も低下する。
【０００４】
これに対し、定着器などの新たな構成を搭載するのではなく、インク自体に改良を加えることによって、定着やブリーディング問題を解決する方法も多く採用されている。例えば、特許文献１には、揮発性の溶剤を主体としたインクが開示されている。揮発性のインクであれば、記録媒体に着弾した後即座に乾燥するので、ブリーディングも発生しにくい。但し、インクを収容した記録ヘッドの吐出口からもインクが揮発しやすくなるので、インクの目詰まりなど新たな問題を招致する恐れもある。
【０００５】
一方、特許文献２には、界面活性剤などの浸透性を高める化合物が含有されたインクが開示されている。浸透性の高いインクであれば、着弾した後即座に記録媒体に浸透していくので、記録媒体上での異色インク同士の接触は抑制され、ブリーディングも発生しにくい。また、特許文献１のような揮発しやすいインクではないので、揮発による目詰まり問題も懸念されない。よって、近年のカラーインクジェット記録装置では、定着やブリーディングの問題を確実に抑えつつも、比較的取り扱い易いことから、特許文献２に開示されたような浸透性の高いインクが有用されることが多い。
【０００６】
しかしながら、浸透性の高いインクは、インク中の色材も記録媒体の奥深くまで浸透して行く為、記録媒体表面で表現される画像濃度や彩度が従来と比べて低下しやすいという欠点も有している。さらに、インクは記録媒体の繊維に沿って浸透しやすいので、文字に代表される線画の先鋭性が損なわれ、いわゆるフェザリングが目立ち易くなる。すなわち、定着性を高めブリーディングを回避しようとするインク特性と、画像濃度を高めフェザリングを抑制しようとするインク特性は相反する関係にあり、１種類のインクでこれらを同時に満足させることは困難な状態であった。
【０００７】
よって近年では、文字を記録することの多いブラックとグラフィックや写真画像に使用することの多いカラーインクとでインクの浸透性を異ならせるなど、同一の記録装置に性質の異なった複数のインクを搭載する構成や記録方法が、提案され実施されている。
【０００８】
例えば、特許文献３では、インクに含有された染料を不溶化する液体組成物を吐出するインクジェット記録ヘッドを用意し、記録媒体上において当該組成物とインクを混合させる技術が開示されている。更に、特許文献４や特許文献５には、特定のカラーインクの中にブラックインクを不溶化させるための成分を含有させ、ブラックインクを記録する箇所にこれと反応するカラーインクを記録する方法が開示されている。
【０００９】
また、特許文献６には、浸透性の低いブラックインクと浸透性の高いカラーインクとのブリーディングを回避するために、カラー画像に隣接するブラック画像の境界部を、カラーインクを混在させて擬似的に生成したブラックで記録する方法が開示されている。
【００１０】
更にまた近年では、黒文字品位を重視するブラックインクと、滑らかな写真画像を重視するブラックインクとの、異なる２種類のブラックインクを搭載したインクジェット記録装置も提供されている。
【００１１】
【特許文献１】特開昭５５−６６９７６号公報
【特許文献２】特開昭５５−６５２６９号公報
【特許文献３】特開昭６４−６３１８５号公報
【特許文献４】特開平９‐０２００７０号公報
【特許文献５】特開平９‐０２５４４２号公報
【特許文献６】特開平６−８７２２２号公報
【発明の開示】
【発明が解決しようとする課題】
【００１２】
ところで、黒文字品位を重視したブラックインクでは、高濃度を実現するために色材の含有濃度を他色より高くしたり、より凝集性の高い顔料を色材として使用したりする場合が多い。このようなインクを、小液滴化が進められた微細なノズル形状を有するインクジェット記録ヘッドに用いた場合、ノズル先端部では溶媒の蒸発に伴ってインクの粘度が上昇する傾向が強くなる。以下、このように溶媒の蒸発によって粘度が増したインクを増粘インクと称する。増粘インクは同じエネルギを与えても吐出されにくくなったり、吐出されてもその方向や速度が不安定であったりするので、記録媒体におけるドットのずれや欠落を招くことがある。但し、インクの粘度上昇は吐出口からの揮発がある程度進んだ場合に起こるので、連続してインクを吐出しているノズルでは発生しにくく、また増粘インクが発生しても不安定な吐出が数発行われれば、吐出状態は正常に戻ることが多い。すなわち、しばらく吐出動作が行われていなかったノズルの最初の吐出は、インクの増粘の進行具合に影響を受け、このようなノズルの最初の吐出の安定性を、本明細書では発一性と称することとする。
【００１３】
発一性の悪い状態であっても、周期的にノズルからインクを予備的に吐出するように制御すれば、画像品位をある程度正常に保つことは出来る。しかしながら、上記予備的な吐出を行うためには、記録ヘッドを搭載したキャリッジを予備吐出が可能な位置、すなわち記録媒体から外れた所定の位置まで移動させて予備吐出を行う必要があり、真の記録時間とは別の余分な時間が要される。また、近年のインクと高精細な記録ヘッドの組み合わせあるいは記録媒体の大きさによっては、キャリッジの１回の記録走査の間でも発一性の悪化が確認され、上記予備吐出動作の効果が１回の記録走査にわたって得られない場合もある。更に、多数の予備吐出動作によって記録とは無関係なインクを消費することも、ランニングコストを上昇させてしまうので、好ましいことではない。
【００１４】
本発明は上記問題点を解決するために成されたものである。よってその目的とするとことは、発一性の劣るインクあるいは記録ヘッドを利用しつつも、ランニングコストや記録時間を増大させることなく、高品位なカラー画像および黒文字を実現可能なカラーインクジェット記録装置を提供することである。
【課題を解決するための手段】
【００１５】
そのために本発明においては、インクを吐出する第１ノズル列と、該第１ノズル列よりもインクの発一性が良好な第２ノズル列を少なくとも用い、画像データに基づいてインクを吐出することにより記録媒体に画像を形成するインクジェット記録方法であって、前記第１ノズル列に含まれる個々のノズルの非吐出時間に関する情報を取得する工程と、前記個々のノズルの前記非吐出時間に関する情報に応じて、対応する前記第２のノズル列に含まれるノズルにインクを吐出させるための吐出データを生成する工程と、前記吐出データに基づいて前記第２ノズル列からインクを吐出する工程とを有することを特徴とする。
【００１６】
また、ブラックインクを吐出するブラックノズル列と、該ブラックノズル列よりもインクの発一性が良好で且つ互いに異なるカラーインクを吐出する複数のカラーノズル列を少なくとも用い、画像データに基づいてインクを吐出することにより記録媒体にカラー画像を形成するインクジェット記録方法であって、ブラックノズル列に含まれる個々のノズルの非吐出時間に関する情報を取得する工程と、前記個々のノズルの前記非吐出時間に関する情報に応じて、対応する前記カラーノズル列に含まれるノズルにインクを吐出させるための吐出データを生成する工程と、前記吐出データに基づいて前記カラーノズル列からインクを吐出する工程とを有することを特徴とする。
【００１７】
更に、インクを吐出する第１ノズル列と、該第１ノズル列よりもインクの発一性が良好な第２ノズル列を少なくとも用い、画像データに基づいてインクを吐出することにより記録媒体に画像を形成するインクジェット記録装置であって、前記第１ノズル列に含まれる個々のノズルの非吐出時間に関する情報を取得する手段と、前記個々のノズルの前記非吐出時間に関する情報に応じて、対応する前記第２のノズル列に含まれるノズルにインクを吐出させるための吐出データを生成する手段と、前記吐出データに基づいて前記第２ノズル列からインクを吐出する手段とを備えることを特徴とする。
【発明の効果】
【００１８】
本発明によれば、第１ノズル列に含まれる個々のノズルの非吐出時間に関する情報に応じて、対応する第２のノズル列に含まれるノズルにインクを吐出させるための吐出データを生成する。吐出データに基づいてインクの発一性が良好な第２ノズル列からインクを吐出するので、発一性の劣るインクの長所を十分に発揮しながらも、ランニングコストや記録時間を増大させることなく、当該インクの発一性の問題を画像上目立たなくすることができる。
【発明を実施するための最良の形態】
【００１９】
以下、図面を参照して本発明の実施形態を詳細に説明する。
【００２０】
図１は、本発明の適用が可能なインクジェット記録装置の概略構成を説明するための斜視図である。キャリッジ２は、複数色のインクを吐出する複数のノズル列が構成された記録ヘッド１を搭載し、図の主走査方向に往復移動可能になっている。フレキシブルケーブル３は、記録装置本体内に配備された基板とキャリッジ２に設置された基板との間を、キャリッジ２の往復移動に追従できる形で連結している。
【００２１】
記録動作が開始されると、給紙トレイ８に積載されている記録媒体７の１枚が記録ヘッド１によって記録可能な領域まで副走査方向に給紙される。その後、キャリッジ２の主走査方向への移動と共に、記録ヘッド１に構成された個々のノズルはフレキシブルケーブル３から得られた信号に従ってインクを吐出し記録媒体７にドットを形成する。１行分の記録主走査が終了すると、記録媒体７は副走査方向に所定量だけ搬送される。以上のような記録主走査と搬送動作を交互に繰り返すことにより、記録媒体７に順次画像が形成される。
【００２２】
記録ヘッド１のメンテナンスを行う回復手段４は、キャリッジ２の移動経路中であって記録媒体に対する記録領域外に配置されている。回復手段４には、記録ヘッドの個々の吐出口からインクを強制的に吸引したり予備吐出されたインクを受容したりするためのキャップユニット５や、吐出口面を払拭するためのワイパーブレード６が配備されている。
【００２３】
図２は、本実施形態で適用するインクジェット記録ヘッド１の吐出口の配列状態を説明するための模式図である。本実施形態では、第１ブラックインクＫ１、第２ブラックインクＫ２、シアンインクＣ、マゼンタインクＭおよびイエローインクＹのそれぞれを吐出可能な５列のカラーノズル列が図のように配列している。各色のノズル列は、約１０ｎｇのインクを吐出する吐出口が、Ｌ＝４２．３μｍの間隔で副走査方向に５１２個ずつ配列することによって構成されている。よって、記録ヘッド１が主走査方向に走査しながらインクを吐出することにより、副走査方向には６００ｄｐｉ（ドット／インチ；参考値）の解像度で約２．２ｃｍ幅の画像を記録することが出来る。
【００２４】
本実施形態において、第１ブラックインクと３色のカラーインクは、染料を色材とし界面活性剤を比較的多く含有し、相対的に浸透性の高く凝集性の低いインクとする。一方、第２ブラックインクについては、顔料を色材とし相対的に浸透性の低く凝集性の高いインクとする。そして、第１ブラックインクと３色のカラーインクは、グラフィックや写真のようなカラー画像を記録する際に用い、第２ブラックインクは主に線画や黒文字を記録する際に用いるものとする。
【００２５】
図３は、本実施形態のインクジェット記録装置における制御系の構成を説明するためのブロック図である。３０１は、装置全体を制御するためのシステムコントローラであり、内部にはマイクロプロセッサをはじめ、制御プログラムが収納されている記憶素子（ＲＯＭ）、マイクロプロセッサが処理を行なう際に使用する記憶素子（ＲＡＭ）等が配備されている。３０２は、キャリッジ２を主走査方向に移動させる動力となるキャリッジモータ３０４を駆動させるためのドライバであり、３０３は、記録媒体７を副走査方向に搬送させるための動力となる搬送モータ３０５を駆動させるためのドライバである。３０６は、記録装置の外部に接続されたホストコンピュータであり、受信バッファ３０７を介して記録情報を記録装置に転送する。
【００２６】
３０８は、記録すべき画像データをイメージデータに展開するためのフレームメモリであり、記録に必要な分のメモリサイズを有している。本実施形態では記録媒体１枚分の画像が記憶可能なフレームメモリを用意しているが、本発明はフレームメモリのサイズには限定されない。３０９は、記録すべき画像データを一時的に記憶するための記憶素子で、第１ブラック用のプリントバッファ３０９Ｋ１と第２ブラック用のプリントバッファ３０９Ｋ２、更に各カラー用のプリントバッファ３０９Ｃ、３０９Ｍ、および３０９Ｙを備えている。個々のバッファサイズは、記録ヘッド１に配備された全ノズルが１行分の記録を行うに十分な容量を有している。
【００２７】
３１０はプリント制御部であり、記録ヘッド１をシステムコントローラ３０１からの指令に基づいて適切にコントロールする。フレームメモリ３０８Ｋに格納されたブラック画像から、それぞれのプリントバッファ３０９Ｋ１と３０９Ｋ２に格納すべく第１ブラック画像と第２ブラック画像を生成するのもプリント制御部である。
【００２８】
プリントバッファ３０９内に格納された各色の画像データは、プリント制御部３１０によって記録ヘッド１を駆動するためのドライバ３１１に転送される。
【００２９】
図４は、本実施形態のインクジェット記録装置で１ページ分の画像を記録する際に、プリント制御部３１０が行う処理の工程を説明するためのフローチャートである。ここでは、記録媒体上の同一画像領域に記録ヘッドの１回の記録走査で画像が形成される１パス記録が実行される場合を例に説明する。
【００３０】
ステップＳ１０１において、プリント制御部３１０はまず第２ブラックＫ２のプリントバッファ３０９Ｋ２を確認し、記録すべき画像データを取得する。続くステップＳ１０２でプリント制御部３１０は、ノズル列Ｋ２に含まれる個々のノズルの吐出情報を取得する。この情報はシステムコントローラ３０１のメモリなどに保存されている。
【００３１】
図５は、ステップＳ１０２で取得するノズルの吐出情報例を示した図である。図において左側は第２のブラックノズル列Ｋ２に含まれる一列に配列する個々のノズル番号を示しており、右側はそれぞれのノズルが前回までに吐出を行わなかった記録走査の回数（Ｎ）を示している。これら走査回数（Ｎ）は、記録装置のメモリに保存されており、記録走査が行われる度に内容が書き換えられる。例えば、ある記録走査で１回でも吐出動作が行われれば走査回数（Ｎ）は０にリセットされ、吐出動作が１回も行われなければ走査回数（Ｎ）は１ずつインクリメントされる。個々のノズルが吐出動作を行っていない大体の時間は、このような走査回数（Ｎ）から知ることが出来るので、ステップＳ１０２で取得するこの情報により、個々のノズルの発一性を判断することが出来る。
【００３２】
ステップＳ１０３では、第２ブラックＫ２のノズル列に含まれる５１２個の吐出口のうち、所定走査回数Ｎ０以上吐出動作が行われない、すなわちＮ≧Ｎ０であるノズルがあるか否かを判断する。ここで、走査回数Ｎ０は、第２ブラックＫ２のノズル列によるインクの吐出をその走査回数の間に一度も吐出を行っていないと、吐出が正常に行われなくなる回数（すなわち閾値）を示す。Ｎ≧Ｎ０を満たすノズルがあると判断された場合、ステップＳ１０４へ進み、上記ノズルが記録する画素の一部に第１ブラックＫ１も重複して記録するように、第１ブラックのフレームメモリ３０９Ｋ１の上記ノズルに対応する画素に記録データ（１）を生成する。一方、Ｎ≧Ｎ０を満たすノズルがないと判断された場合、ステップＳ１０５へ進み第２ブラックのノズルが記録する画素に対する第１ブラックＫ１の記録データはヌル（０）に設定する。
【００３３】
図６（ａ）〜（ｃ）は、ステップＳ１０４で生成する第１ブラック用の記録データを説明するための模式図である。図６（ａ）は、Ｎ≧Ｎ０となった第２ブラックＫ２用のノズルでの発一状態を説明するための模式図である。ここでは、副走査方向に隣接した配置された５つのノズルが主走査方向に移動しながら５回の吐出を連続して行った場合のドット着弾状態を示している。黒い○、×あるいは黒い△が示された位置は、それぞれのノズルによってドットが形成される位置を示しており、黒い○は正常にドットが記録された状態、×はドットが記録されなかった状態、黒い△は不良なドットが記録された状態をそれぞれ示している。図では、５つのノズル共に、２発目までは吐出は行われず、３回目では不良な状態ではあるが吐出が実行され、４発目以降で正常なドットが記録される状態を示している。ここでは、４発目から正常な吐出が行われる例を示しているが、本発明者らの検討によれば、通常用いられている一般的なインクでは、数ドット〜数十ドットの連続吐出を行えば、図のように発一性の問題は解決されることが確認された。
【００３４】
図６（ｂ）は、上記と同様の条件で、第１のブラックインクを吐出するノズルでの発一状態を示した図である。本実施形態において、第１のブラックインクは第２のブラックインクに比べて凝集性の低いインクを用いている。よって、吐出動作が同じ期間行われなくても、第２のブラックインクに比べて色材の凝固は起こり難く、発一性も良好な状態を維持する。結果、図に白い丸で示すように、初めの吐出から正常なドットが形成される。
【００３５】
本発明者らは、以上のようなインクの特性の違いを利用し、発一性の悪いインクの最初の数ドットの位置に発一性の良いインクも同時に記録するように制御することが、好適な画像を得るのに有効であると判断した。すなわち、図６（ｃ）に示すように、第２のブラックインクが記録すべき最初の３ドットの位置に、第１のブラックインクのデータを重ねて記録することにより、第２のブラックインクにおける発一性の問題を画像上目立たなくすることが出来るのである。但し、第２のブラックインクの吐出が正常に行われるようになった以降は、高濃度でフェザリングの少ない第２のブラックインクの特徴を十分に生かせるように、第１のブラックインクによる重ね記録は行わないようにする。
【００３６】
再び図４のフローチャートに戻る。ステップＳ１０６では、ステップＳ１０４あるいはステップＳ１０５によって最終的な記録データが格納されたプリントバッファ３０９に従って１記録走査を実行する。
【００３７】
続くステップＳ１０７では、図５で説明したノズルの吐出情報を更新する。すなわち、今回の記録走査で１回でも吐出動作が行われたノズルの走査回数（Ｎ）は０にリセットし、吐出動作が１回も行われないノズルの走査回数（Ｎ）は１だけインクリメントする。
【００３８】
ステップＳ１０８では、フレームメモリ３０８内において次の記録走査で記録すべきデータがまだ残っているか否かを判断する。記録すべきデータがまだ残っていると判断された場合は、ステップＳ１０１へ戻り、次の記録走査に対する本処理を繰り返す。一方、次の記録走査で記録すべきデータは残っていないと判断された場合は、本処理を終了する。
【００３９】
以上説明したように本実施形態によれば、凝集性の高く発一性の劣るブラックインクの記録位置の内、特に発一性の問題が表れやすい記録位置に対してのみ、凝集性の低く発一性の良好な同色であるブラックインクを重ねて記録する。これにより、凝集性の高いインクの長所を十分に発揮しながらも、当該インクの発一性の問題を画像上目立たなくすることができる。
【００４０】
なお、以上の説明では、第１のブラックインクは、第２のブラックインクの発一性が懸念される記録位置にのみ使用する形態で説明したが、無論、本実施形態はそのような構成に限定されるものではない。本実施形態の記録装置においては、グラフィックや写真などのようなカラー画像を記録する際には第１のブラックインクを積極的に用い、黒文字や線画を記録する際には第２のブラックインクを積極的に用いるような構成であってもよい。第２のブラックインクで記録するべき画素であって、且つ発一性が懸念されるような記録位置に対し、第１のブラックインクが同時に記録されるように制御されれば、本実施形態および本発明の効果を十分に得ることが出来る。
【００４１】
（第２の実施形態）
以下に、本発明の第２の実施形態を説明する。本実施形態においても第１の実施形態と同様、図１および図３で説明した構成のインクジェット記録装置を用いるものとする。但し、本実施形態の記録ヘッドの構成は上記実施形態とは異なり、それに応じて、フレームメモリ３０６やプリントバッファのプレーン数も調整されているものとする。
【００４２】
図７は、本実施形態で適用するインクジェット記録ヘッドの吐出口の配列状態を説明するための模式図である。本実施形態では、ブラック、シアン、マゼンタおよびイエローの各色に対し、第１および第２のインクが用意されており、全８列のノズル列が図のように配列している。各色のノズル列は、第１の実施形態と同様に、約１０ｎｇのインクを吐出する吐出口が、Ｌ＝４２．３μｍの間隔で副走査方向に５１２個ずつ配列する。
【００４３】
本実施形態において、ブラックＫ１、シアンＣ１、マゼンタＭ１およびイエローＹ１の各インクは、染料を色材とし界面活性剤を比較的多く含有し、相対的に浸透性の高く凝集性の低いインクとする。一方、ブラックＫ２、シアンＣ２、マゼンタＭ２およびイエローＹ２の各インクは、顔料を色材とし相対的に浸透性の低く凝集性の高いインクとする。
【００４４】
第１の実施形態では、ブラックインクのみについて、発一性の悪いインクに対する発一性の良いインクのデータの生成を行ったが、本実施形態では全４色について上記ブラックインクと同様の処理を実行する。すなわち、図４のステップＳ１０１において、プリント制御部３１０は、第２ブラックＫ２と同時に、第２シアンＣ２、第２マゼンタＭ２および第２イエローＹ２のプリントバッファ３０９を確認する。そして、ステップＳ１０２では、第２のノズル列Ｋ２、Ｃ２、Ｍ２、およびＹ２に含まれる全ノズルの吐出情報を取得する。その後、ステップＳ１０３〜ステップＳ１０５までは、各色について独立に処理し、ステップＳ１０６にて、全８プレーンのプリントバッファ３０９（Ｋ１、Ｋ２、Ｃ１、Ｃ２、Ｍ１、Ｍ２、Ｙ１、Ｙ２）に従って記録走査を実行する。
【００４５】
本実施形態によれば、ブラック画像に加えてカラー画像においても、良好なブリーディングの基に発色性や先鋭性に優れた画像を得ることが可能となる。
【００４６】
（第３の実施形態）
以下に、本発明の第３の実施形態を説明する。本実施形態においても、上記実施形態と同様、図１および図３で説明した構成のインクジェット記録装置を用いるものとする。
【００４７】
図８は、本実施形態で適用するインクジェット記録ヘッドの吐出口の配列状態を説明するための模式図である。本実施形態では、ブラック、シアン、マゼンタおよびイエローに対し１種類ずつのインクが用意されており、全４列のノズル列が図のように配列している。各色のノズル列は、第１の実施形態と同様に、約１０ｎｇのインクを吐出する吐出口が、Ｌ＝４２．３μｍの間隔で副走査方向に５１２個ずつ配列する。
【００４８】
本実施形態において、シアンＣ、マゼンタＭおよびイエローＹの各インクは、染料を色材とし界面活性剤を比較的多く含有し、相対的に浸透性の高く凝集性の低いインクとする。一方、ブラックインクＫは、顔料を色材とし相対的に浸透性の低く凝集性の高いインクとする。
【００４９】
本実施形態では、発一性に不良を起こしやすいブラックインクの記録位置に対し、シアン、マゼンタおよびイエローを重ねて記録し、これらの混色によって擬似的なブラックを生成する。
【００５０】
図９は、本実施形態のインクジェット記録装置で１ページ分の画像を記録する際に、プリント制御部３２０が行う処理の工程を、図４と比較しながら説明するためのフローチャートである。ステップＳ２０１において、プリント制御部３１０はまずブラックＫのプリントバッファ３０９Ｋを確認し、記録すべき画像データを取得する。続くステップＳ２０２でプリント制御部３１０は、ノズル列Ｋに含まれる個々のノズルの吐出情報を取得する。
【００５１】
ステップＳ２０３では、ブラックＫのノズル列に含まれる５１２個の吐出口のうち、所定走査回数Ｎ０以上吐出動作が行われない、すなわちＮ≧Ｎ０であるノズルがあるか否かを判断する。Ｎ≧Ｎ０を満たすノズルがあると判断された場合、ステップＳ２０４へ進み、上記ノズルが記録する画素の一部に対してシアン、マゼンタおよびイエローも同時に記録するように、各色のフレームメモリ３０９Ｃ、ＭおよびＹに記録データ（１）を生成する。一方、Ｎ≧Ｎ０を満たすノズルがないと判断された場合、ステップＳ２０５へ進みブラックのノズルが記録する画素に対するＣＭＹの新たな記録データは設定せず、ＣＭＹのオリジナルデータをそのままとする。
【００５２】
ステップＳ２０６では、ステップＳ２０４あるいはステップＳ２０５によって最終的な記録データが格納されたプリントバッファ３０９に従って１記録走査を実行する。
【００５３】
続くステップＳ２０７では、ブラックノズルの吐出情報を更新する。すなわち、今回の記録走査で１回でも吐出動作が行われたノズルの走査回数（Ｎ）は０にリセットし、吐出動作が１回も行われないノズルの走査回数（Ｎ）は１だけインクリメントする。
【００５４】
ステップＳ２０８では、フレームメモリ３０６内において次の記録走査で記録すべきデータがまだ残っているか否かを判断する。記録すべきデータがまだ残っていると判断された場合は、ステップＳ２０１へ戻り、次の記録走査に対する処理を繰り返す。一方、次の記録走査で記録すべきデータは残っていないと判断された場合は、本処理を終了する。
【００５５】
以上説明したように本実施形態によれば、凝集性の高く発一性の劣るブラックインクの記録位置の内、特に発一性の問題が表れやすい記録位置に対してのみ、凝集性の低く発一性の良好なカラーインクを重ねて記録する。これにより、凝集性の高いブラックインクの長所を十分に発揮しながらも、当該インクの発一性の問題を画像上目立たなくすることができる。
【００５６】
なお、以上説明した実施形態では図５を用いて説明したように、記録装置のメモリ内に、個々のノズルごとに吐出を行っていない記録走査数（Ｎ）を記憶する形態としたが、本発明はこれに限定されるものではない。発一性は、直接的には、個々のノズルが実際に吐出を行っていない時間すなわち非吐出時間に影響を受けるので、この非吐出時間に置き換えられるようなパラメータ（非吐出時間に関する情報）であれば、どのようなものを利用しても構わない。例えば、個々のノズルが連続して記録を行わない画素数をカウントし、その画素数が所定数以上の場合のみ、最初の幾つかの記録画素に第１のブラックインクを記録するように制御してもよい。このような方法は、特に、１回の記録走査に要する時間よりも短い時間で発一性が悪化してしまう記録ヘッドの場合に有効である。
【００５７】
また、個々のノズルの非吐出時間をより厳密に取得する必要がある場合には、記録データと駆動周波数を用いてこれを算出することが出来る。例えば駆動周波数が２０ＫＨｚのノズルに対し１００００画素分の空白データが連続して存在する場合、当該ノズルの非吐出時間は、１秒／２００００Ｈｚ×１００００画素＝０．５秒となる。１回の記録走査には、キャリッジを反転させるための時間や、加速・減速するための時間なども含まれており、これら動作に要する時間をそれぞれ加算することにより、より正確に非吐出時間の管理を行うことも出来る。
【００５８】
更に、発一性の状態は、非吐出時間のみならず周囲の温度や湿度によっても影響を受ける。よって、このような場合には、記録装置内に温湿度計を設置しておき、ここから得られる温度湿度情報も加味して、発一性の良・不良の判断を行ったり、発一性が良好なインクを記録する画素数を調整したりしても良い。
【図面の簡単な説明】
【００５９】
【図１】本発明の適用が可能なインクジェット記録装置の概略構成を説明するための斜視図である。
【図２】本発明の第１の実施形態で適用するインクジェット記録ヘッドの吐出口の配列状態を説明するための模式図である。
【図３】本発明の実施形態に適用可能なインクジェット記録装置における制御系の構成を説明するためのブロック図である。
【図４】第１の実施形態のインクジェット記録装置で１ページ分の画像を記録する際に、プリントコントローラが行う処理の工程を説明するためのフローチャートである。
【図５】ノズルの吐出情報例を示した図である。
【図６】（ａ）〜（ｃ）は、新たに生成する第１ブラック用の記録データを説明するための模式図である。
【図７】第２の実施形態で適用するインクジェット記録ヘッドの吐出口の配列状態を説明するための模式図である。
【図８】第３の実施形態で適用するインクジェット記録ヘッドの吐出口の配列状態を説明するための模式図である。
【図９】第３の実施形態のインクジェット記録装置で１ページ分の画像を記録する際に、プリントコントローラが行う処理の工程を、図４と比較しながら説明するためのフローチャートである。
【符号の説明】
【００６０】
１      記録ヘッド
３０１  システムコントローラ
３０８  フレームメモリ
３０９  プリントバッファ
３１０  プリント制御部
【図１】
2008149613.tif 000003
【図２】
2008149613.tif 000004
【図３】
2008149613.tif 000005
【図４】
2008149613.tif 000006
【図５】
2008149613.tif 000007
【図６】
2008149613.tif 000008
【図７】
2008149613.tif 000009
【図８】
2008149613.tif 000010
【図９】
2008149613.tif 000011